(57)【特許請求の範囲】
【請求項１】
２相以上の相巻線を有する電機子巻線と、
ダイオードが並列接続されたスイッチング素子によって構成される複数の上アームおよび下アームを有するブリッジ回路を構成し、前記電機子巻線の誘起電圧を整流するスイッチング部と、
前記スイッチング素子のオンタイミングを設定するオンタイミング設定部と、
前記スイッチング素子のオフタイミングを設定するオフタイミング設定部と、
前記オンタイミング設定部によって設定されたオンタイミングおよび前記オフタイミング設定部によって設定されたオフタイミングで前記スイッチング素子を駆動するスイッチング素子駆動部と、
前記オフタイミング設定部によって設定されたオフタイミングから、次に前記相巻線の相電圧がしきい値に達するまでの時間が所定時間よりも短いときに、オフタイミングの異常を判定するオフタイミング異常判定部と、
を備えることを特徴とする車両用回転電機。
【請求項２】
請求項１において、
前記オンタイミング設定部は、前記相電圧が第１のしきい値に達した時点を前記スイッチング素子のオンタイミングとして設定し、
前記オフタイミング異常判定部において異常判定に用いられるしきい値として、前記オンタイミング設定部においてオンタイミングの設定に用いられる第１のしきい値を用い、
前記オフタイミング異常判定部は、上アームおよび下アームのいずれか一方の前記スイッチング素子ついて前記オフタイミング設定部によって設定されたオフタイミングから、上アームおよび下アームのいずれか他方の前記スイッチング素子のオンタイミングを設定するために用いられる前記第１のしきい値に前記相電圧が達するまでの時間が所定時間よりも短いときに、オフタイミングの異常を判定することを特徴とする車両用回転電機。
【請求項３】
請求項１において、
前記相電圧が前記第１のしきい値に達した後第２のしきい値に達するまでを通電期間とするとともに、前記オフタイミング異常判定部において異常判定に用いられるしきい値として前記第２のしきい値を用い、
前記オフタイミング異常判定部は、上アームおよび下アームのいずれか一方の前記スイッチング素子ついて前記オフタイミング設定部によって設定されたオフタイミングから、同じ上アームおよび下アームのいずれか一方の前記通電期間の終了タイミングを検出するために用いられる前記第２のしきい値に前記相電圧が達するまでの時間が所定時間よりも短いときに、オフタイミングの異常を判定することを特徴とする車両用回転電機。
【請求項４】
請求項１〜３のいずれかにおいて、
前記オフタイミング異常判定部によりオフタイミングの異常判定が行われたときに、前記スイッチング素子をオンオフ制御する同期整流動作を停止する同期制御停止判定部をさらに備えることを特徴とする車両用回転電機。
【請求項５】
請求項４において、
前記オフタイミングの異常を判定する前記所定時間は、前記オフタイミング設定部によってオフタイミングを指示してから実際に前記スイッチング素子駆動部によって前記スイッチング素子がオフされるまでの時間に応じて設定されることを特徴とする車両用回転電機。
【請求項６】
請求項４または５において、
前記オフタイミングの異常を判定する前記所定時間は、前記スイッチング素子駆動部によって前記スイッチング素子をオフする際の前記スイッチング素子の駆動能力に応じて設定されることを特徴とする車両用回転電機。
【請求項７】
請求項５または６において、
前記オフタイミングの異常を判定する前記所定時間は、前記スイッチング素子がオフされたときに前記ダイオードが非導通状態になった際にサージ電圧が発生する時点を含むように設定されることを特徴とする車両用回転電機。
【請求項８】
請求項５〜７のいずれかにおいて、
前記オフタイミングの異常を判定する前記所定時間は、回転数に関係なく一定値を有することを特徴とする車両用回転電機。
【請求項９】
請求項４〜８のいずれかにおいて、
前記同期制御停止判定部は、バッテリに接続される出力端子の電圧の所定時間あたりの変動値が所定値よりも小さい場合に、前記同期整流動作を停止することを特徴とする車両用回転電機。
【請求項１０】
請求項４〜９のいずれかにおいて、
バッテリに接続される出力端子の電圧がサージ電圧発生の基準となる基準電圧を超えたときに、前記下アームのスイッチング素子をオンすることにより、前記出力端子の電圧を低下させる保護動作を行うロードダンプ保護部をさらに備え、
前記同期制御停止判定部は、前記ロードダンプ保護部による保護動作が開始されたときに、前記同期整流動作を停止することを特徴とする車両用回転電機。
【請求項１１】
請求項４〜１０のいずれかにおいて、
前記スイッチング素子の過熱異常状態を検出する過熱異常検出部をさらに備え、
前記同期制御停止判定部は、前記過熱異常検出部によって過熱異常状態が検出されたときに、前記同期整流動作を停止することを特徴とする車両用回転電機。
【発明の詳細な説明】
【技術分野】
【０００１】
本発明は、乗用車やトラック等に搭載される車両用回転電機に関する。
【背景技術】
【０００２】
従来から、複数のスイッチング素子を有する電力変換器を用いて電機子巻線の出力電圧を整流するようにした電力変換装置を備えた車両用発電機が知られている（例えば、特許文献１参照。）。この電力変換装置では、例えば上アームのスイッチング素子をオフしてから相電圧が第４の閾値Ｖ４を超えた後第３の閾値Ｖ３よりも低くなるまでの時間Ｃｏｕｎｔを計測することにより、スイッチング素子をオフするタイミングを監視している。
【先行技術文献】
【特許文献】
【０００３】
【特許文献１】特開２０１０−１１０１７６号公報（第５−１４頁、図１−１５）
【発明の概要】
【発明が解決しようとする課題】
【０００４】
ところで、特許文献１に開示された電力変換装置では、相電圧が第４の閾値Ｖ４を超えた後第３の閾値Ｖ３よりも低くなるまでの時間Ｃｏｕｎｔを計測することでスイッチング素子をオフするタイミングが正常であるか否かを知ることができるが、何らかの原因により、スイッチング素子をオフするタイミングが相電圧が第３の閾値Ｖ３よりも低くなるタイミングよりも遅くなると、相電圧自体が第４の閾値Ｖ４よりも高くならないため、上述した監視動作ではスイッチング素子のオフタイミングの異常を検出することができないという問題があった。
【０００５】
本発明は、このような点に鑑みて創作されたものであり、その目的は、スイッチング素子を用いた同期整流を行う場合にスイッチング素子のオフタイミングの異常を確実に検出することができる車両用回転電機を提供することにある。
【課題を解決するための手段】
【０００６】
上述した課題を解決するために、本発明の車両用回転電機は、２相以上の相巻線を有する電機子巻線と、ダイオードが並列接続されたスイッチング素子によって構成される複数の上アームおよび下アームを有するブリッジ回路を構成し、電機子巻線の誘起電圧を整流するスイッチング部と、スイッチング素子のオンタイミングを設定するオンタイミング設定部と、スイッチング素子のオフタイミングを設定するオフタイミング設定部と、オンタイミング設定部によって設定されたオンタイミングおよびオフタイミング設定部によって設定されたオフタイミングでスイッチング素子を駆動するスイッチング素子駆動部と、オフタイミング設定部によって設定されたオフタイミングから、次に相巻線の相電圧がしきい値に達するまでの時間が所定時間よりも短いときに、オフタイミングの異常を判定するオフタイミング異常判定部とを備えている。
【０００７】
スイッチング素子をオフするタイミングが遅くなってダイオードを通した通電期間を超えてしまうと、相巻線に流れる電流が遮断されることになるためサージ電圧が発生する。この現象は、スイッチング素子をオフするタイミングの直後（所定時間未満）に相電圧がしきい値に達することを検出することで確認することができ、これにより、スイッチング素子のオフタイミングの異常を確実に検出することが可能となる。
【０００８】
また、上述したオンタイミング設定部は、相電圧が第１のしきい値に達した時点をスイッチング素子のオンタイミングとして設定し、オフタイミング異常判定部において異常判定に用いられるしきい値として、オンタイミング設定部においてオンタイミングの設定に用いられる第１のしきい値を用い、オフタイミング異常判定部は、上アームおよび下アームのいずれか一方のスイッチング素子ついてオフタイミング設定部によって設定されたオフタイミングから、上アームおよび下アームのいずれか他方のスイッチング素子のオンタイミングを設定するために用いられる第１のしきい値に相電圧が達するまでの時間が所定時間よりも短いときに、オフタイミングの異常を判定することが望ましい。スイッチング素子のオンタイミングを設定するために用いられる第１のしきい値をオフタイミングの異常判定でも用いることにより、相電圧と第１のしきい値との比較動作を共通化することができ、処理および構成の簡略化が可能となる。
【０００９】
また、上述した相電圧が前記第１のしきい値に達した後第２のしきい値に達するまでを通電期間とするとともに、オフタイミング異常判定部において異常判定に用いられるしきい値として第２のしきい値を用い、オフタイミング異常判定部は、上アームおよび下アームのいずれか一方のスイッチング素子ついてオフタイミング設定部によって設定されたオフタイミングから、同じ上アームおよび下アームのいずれか一方の通電期間の終了タイミングを検出するために用いられる第２のしきい値に相電圧が達するまでの時間が所定時間よりも短いときに、オフタイミングの異常を判定することが望ましい。これにより、オフタイミング異常に伴ってサージ電圧が発生する前、あるいは、発生するサージ電圧が小さい場合であっても、確実にオフタイミング異常を検出することが可能となる。
【００１０】
また、上述したオフタイミング異常判定部によりオフタイミングの異常判定が行われたときに、スイッチング素子をオンオフ制御する同期整流動作を停止する同期制御停止判定部をさらに備えることが望ましい。オフタイミング異常を検出したときに同期整流動作を停止することにより、オフタイミング異常に伴うサージ電圧の発生を防止することができる。また、一旦同期整流動作を停止することで、再度正常なタイミングで同期整流動作を開始することができる。
【００１１】
また、上述したオフタイミングの異常を判定する所定時間は、オフタイミング設定部によってオフタイミングを指示してから実際にスイッチング素子駆動部によってスイッチング素子がオフされるまでの時間に応じて設定されることが望ましい。また、上述したオフタイミングの異常を判定する所定時間は、スイッチング素子駆動部によってスイッチング素子をオフする際のスイッチング素子の駆動能力に応じて設定されることが望ましい。特に、上述したオフタイミングの異常を判定する所定時間は、スイッチング素子がオフされたときにダイオードが非導通状態になった際にサージ電圧が発生する時点を含むように設定されることが望ましい。これにより、スイッチング素子駆動部の駆動能力に応じた適切な時間でスイッチング素子のオフタイミング異常を検出することが可能となる。
【００１２】
また、上述したオフタイミングの異常を判定する所定時間は、回転数に関係なく一定値を有することが望ましい。スイッチング素子をオフする指示を行った後にサージ電圧が発生するまでの時間は、主にスイッチング素子駆動部の駆動能力に応じて決まるものであるため、判定を行うための所定時間を回転数に関係なく設定することにより、回転数によらず適切なオフタイミング異常判定を行うことが可能となる。また、所定時間として一定値を用いることにより、オフタイミングの異常判定を行う回路構成を簡略化することができる。
【００１３】
また、上述した同期制御停止判定部は、バッテリに接続される出力端子の電圧の所定時間あたりの変動値が所定値よりも小さい場合に、同期整流動作を停止することが望ましい。出力電圧の変動が大きくダイオードを通して電流が流れる期間が大きく変化する場合には、スイッチング素子のオンオフタイミング（特にオフタイミング）の正確な設定が難しい。このような場合に同期整流動作を停止することで、スイッチング素子のオフタイミングの誤設定を回避することができる。
【００１４】
また、バッテリに接続される出力端子の電圧がサージ電圧発生の基準となる基準電圧を超えたときに、下アームのスイッチング素子をオンすることにより、出力端子の電圧を低下させる保護動作を行うロードダンプ保護部をさらに備え、同期制御停止判定部は、ロードダンプ保護部による保護動作が開始されたときに、同期整流動作を停止することが望ましい。これにより、ロードダンプ保護動作中は同期整流動作を行わないようにすることができる。
【００１５】
また、上述したスイッチング素子の過熱異常状態を検出する過熱異常検出部をさらに備え、同期制御停止判定部は、過熱異常検出部によって過熱異常状態が検出されたときに、同期整流動作を停止することが望ましい。これにより、異常発熱時に同期整流動作を行わないようにすることができる。
【図面の簡単な説明】
【００１６】
【図１】一実施形態の車両用発電機の構成を示す図である。
【図２】整流器モジュールの構成を示す図である。
【図３】制御回路の詳細構成を示す図である。
【図４】上ＭＯＳ  ＶDS検出部による電圧比較の具体例を示す図である。
【図５】下ＭＯＳ  ＶDS検出部による電圧比較の具体例を示す図である。
【図６】温度検出部による温度検出結果の具体例を示す図である。
【図７】制御部の詳細構成を示す図である。
【図８】制御部によって行う同期制御の動作タイミング図である。
【図９】同期制御開始判定を行うために必要な構成を示す図である。
【図１０】同期制御開始判定の動作タイミングを示す図である。
【図１１】下ＭＯＳオフタイミング演算部によって設定されたオフタイミングが遅れた場合の出力電圧波形の具体例を示す図である。
【図１２】出力電圧変動と上アーム・オン期間および下アーム・オン期間の関係を示す図である。
【図１３】同期制御停止判定を行うために必要な構成を示す図である。
【発明を実施するための形態】
【００１７】
以下、本発明の車両用回転電機を適用した一実施形態の車両用発電機について、図面を参照しながら説明する。図１は、一実施形態の車両用発電機の構成を示す図である。図１に示すように、本実施形態の車両用発電機１は、２つの固定子巻線（電機子巻線）２、３、界磁巻線４、２つの整流器モジュール群５、６、発電制御装置７を含んで構成されている。２つの整流器モジュール群５、６がスイッチング部に対応する。
【００１８】
一方の固定子巻線２は、多相巻線（例えばＸ相巻線、Ｙ相巻線、Ｚ相巻線からなる三相巻線）であって、固定子鉄心（図示せず）に巻装されている。同様に、他方の固定子巻線３は、多相巻線（例えばＵ相巻線、Ｖ相巻線、Ｗ相巻線からなる三相巻線）であって、上述した固定子鉄心に、固定子巻線２に対して電気角で３０度ずらした位置に巻装されている。本実施形態では、これら２つの固定子巻線２、３と固定子鉄心によって固定子が構成されている。
【００１９】
界磁巻線４は、固定子鉄心の内周側に対向配置された界磁極（図示せず）に巻装されて回転子を構成している。励磁電流を流すことにより、界磁極が磁化される。界磁極が磁化されたときに発生する回転磁界によって固定子巻線２、３が交流電圧を発生する。
【００２０】
一方の整流器モジュール群５は、一方の固定子巻線２に接続されており、全体で三相全波整流回路（ブリッジ回路）が構成され、固定子巻線２に誘起される交流電流を直流電流に変換する。この整流器モジュール群５は、固定子巻線２の相数に対応する数（三相巻線の場合には３個）の整流器モジュール５Ｘ、５Ｙ、５Ｚを備えている。整流器モジュール５Ｘは、固定子巻線２に含まれるＸ相巻線に接続されている。整流器モジュール５Ｙは、固定子巻線２に含まれるＹ相巻線に接続されている。整流器モジュール５Ｚは、固定子巻線２に含まれるＺ相巻線に接続されている。
【００２１】
他方の整流器モジュール群６は、一方の固定子巻線３に接続されており、全体で三相全波整流回路（ブリッジ回路）が構成され、固定子巻線３に誘起される交流電流を直流電流に変換する。この整流器モジュール群６は、固定子巻線３の相数に対応する数（三相巻線の場合には３個）の整流器モジュール６Ｕ、６Ｖ、６Ｗを備えている。整流器モジュール６Ｕは、固定子巻線３に含まれるＵ相巻線に接続されている。整流器モジュール６Ｖは、固定子巻線３に含まれるＶ相巻線に接続されている。整流器モジュール６Ｗは、固定子巻線３に含まれるＷ相巻線に接続されている。
【００２２】
発電制御装置７は、Ｆ端子を介して接続された界磁巻線４に流す励磁電流を制御する励磁制御回路であって、励磁電流を調整することにより車両用発電機１の出力電圧（各整流器モジュールの出力電圧）ＶB が調整電圧Ｖreg になるように制御する。例えば、発電制御装置７は、出力電圧ＶB が調整電圧Ｖreg よりも高くなったときに界磁巻線４への励磁電流の供給を停止し、出力電圧ＶB が調整電圧Ｖreg よりも低くなったときに界磁巻線４に励磁電流の供給を行うことにより、出力電圧ＶB が調整電圧Ｖreg になるように制御する。また、発電制御装置７は、通信端子Ｌおよび通信線を介してＥＣＵ８（外部制御装置）と接続されており、ＥＣＵ８との間で双方向のシリアル通信（例えば、ＬＩＮ（Local Interconnect Network）プロトコルを用いたＬＩＮ通信）を行い、通信メッセージを送信あるいは受信する。
【００２３】
本実施形態の車両用発電機１はこのような構成を有しており、次に、整流器モジュール５Ｘ等の詳細について説明する。
【００２４】
図２は、整流器モジュール５Ｘの構成を示す図である。なお、他の整流器モジュール５Ｙ、５Ｚ、６Ｕ、６Ｖ、６Ｗも同じ構成を有している。図２に示すように、整流器モジュール５Ｘは、２つのＭＯＳトランジスタ５０、５１、制御回路５４を備えている。ＭＯＳトランジスタ５０は、ソースが固定子巻線２のＸ相巻線に接続され、ドレインが充電線１２を介してを電気負荷１０やバッテリ９の正極端子に接続された上アーム（ハイサイド側）のスイッチング素子である。ＭＯＳトランジスタ５１は、ドレインがＸ相巻線に接続され、ソースがバッテリ９の負極端子（アース）に接続された下アーム（ローサイド側）のスイッチング素子である。これら２つのＭＯＳトランジスタ５０、５１からなる直列回路がバッテリ９の正極端子と負極端子の間に配置され、これら２つのＭＯＳトランジスタ５０、５１の接続点にＸ相巻線が接続されている。また、ＭＯＳトランジスタ５０、５１のそれぞれのソース・ドレイン間にはダイオードが並列接続されている。このダイオードはＭＯＳトランジスタ５０、５１の寄生ダイオード（ボディダイオード）によって実現されるが、別部品としてのダイオードをさらに並列接続するようにしてもよい。なお、上アームおよび下アームの少なくとも一方を、ＭＯＳトランジスタ以外のスイッチング素子を用いて構成するようにしてもよい。
【００２５】
図３は、制御回路５４の詳細構成を示す図である。図３に示すように、制御回路５４は、制御部１００、電源１６０、出力電圧検出部１１０、上ＭＯＳ ＶDS検出部１２０、下ＭＯＳ ＶDS検出部１３０、温度検出部１５０、ドライバ１７０、１７２を備えている。
【００２６】
電源１６０は、発電制御装置７から界磁巻線４に励磁電流が供給されるタイミングで動作を開始し、制御回路５４に含まれる各素子に動作電圧を供給するとともに、励磁電流の供給が停止されたときなどに動作電圧の供給を停止する。この電源１６０の起動、停止は、制御部１００からの指示に応じて行われる。
【００２７】
ドライバ１７０は、出力端子（Ｇ１）がハイサイド側のＭＯＳトランジスタ５０のゲートに接続されており、ＭＯＳトランジスタ５０をオンオフする駆動信号を生成する。同様に、ドライバ１７２は、出力端子（Ｇ２）がローサイド側のＭＯＳトランジスタ５１のゲートに接続されており、ＭＯＳトランジスタ５１をオンオフする駆動信号を生成する。
【００２８】
出力電圧検出部１１０は、例えば差動増幅器とその出力をデジタルデータに変換するアナログ−デジタル変換器によって構成されており、車両用発電機１（あるいは整流器モジュール５Ｘ）の出力端子（Ｂ端子）の電圧に対応するデータを出力する。なお、アナログ−デジタル変換器は、制御部１００側に設けるようにしてもよい。
【００２９】
上ＭＯＳ  ＶDS検出部１２０は、ハイサイド側のＭＯＳトランジスタ５０のドレイン・ソース間電圧ＶDSを検出し、検出したドレイン・ソース間電圧ＶDSを所定のしきい値と比較してその大小に応じた信号を出力する。
【００３０】
図４は、上ＭＯＳ  ＶDS検出部１２０による電圧比較の具体例を示す図である。図４において、横軸はドレイン側の出力電圧ＶB を基準としたドレイン・ソース間電圧ＶDSを示している。また、縦軸は上ＭＯＳ  ＶDS検出部１２０から出力される信号の電圧レベルを示している。図４に示すように、相電圧ＶP が高くなって出力電圧ＶB よりも０．３Ｖ以上高くなるとＶDSが０．３Ｖ以上になるため、上ＭＯＳ  ＶDS検出部１２０の出力信号がローレベル（０Ｖ）からハイレベル（５Ｖ）に変化する。その後、相電圧ＶP が出力電圧ＶB よりも１．０Ｖ以上低くなるとＶDSが−１．０Ｖ以下になるため、上ＭＯＳ  ＶDS検出部１２０の出力信号がハイレベルからローレベルに変化する。
【００３１】
上述した出力電圧ＶB よりも０．３Ｖ高い値Ｖ１０（図８）が第１のしきい値に対応している。この第１のしきい値は、ダイオード通電期間の開始時点を確実に検出するためのものであり、出力電圧ＶB にオン時のＭＯＳトランジスタ５０のドレイン・ソース間電圧ＶDSを加算した値よりも高く、出力電圧ＶB にＭＯＳトランジスタ５０と並列接続されたダイオードの順方向電圧ＶＦを加算した値よりも低い値に設定されている。また、上述した出力電圧ＶB よりも１．０Ｖ低い値Ｖ２０（図８）が第２のしきい値に対応している。この第２のしきい値は、ダイオード通電期間の終了時点を確実に検出するためのものであり、出力電圧ＶB よりも低い値に設定されている。相電圧ＶP が第１のしきい値に達した後に第２のしきい値に達するまでを上アームの「オン期間」としている。このオン期間が特許請求の範囲における「通電期間」に対応する。なお、このオン期間は、ＭＯＳトランジスタ５０がオフ状態のときに実際にダイオードに通電される「ダイオード通電期間」とは開始時点と終了時点がずれているが、本実施形態の同期制御はこのオン期間に基づいて行われる。
【００３２】
下ＭＯＳ  ＶDS検出部１３０は、ローサイド側のＭＯＳトランジスタ５１のドレイン・ソース間電圧ＶDSを検出し、検出したドレイン・ソース間電圧ＶDSを所定のしきい値と比較してその大小に応じた信号を出力する。
【００３３】
図５は、下ＭＯＳ  ＶDS検出部１３０による電圧比較の具体例を示す図である。図５において、横軸はドレイン側のバッテリ負極端子電圧であるグランド端子電圧ＶGND を基準としたドレイン・ソース間電圧ＶDSを示している。また、縦軸は下ＭＯＳ  ＶDS検出部１３０から出力される信号の電圧レベルを示している。図５に示すように、相電圧ＶP が低くなってグランド電圧ＶGND よりも０．３Ｖ以上低くなるとＶDSが−０．３Ｖ以下になるため、下ＭＯＳ  ＶDS検出部１３０の出力信号がローレベル（０Ｖ）からハイレベル（５Ｖ）に変化する。その後、相電圧ＶP がグランド電圧ＶGND よりも１．０Ｖ以上高くなるとＶDSが１．０Ｖ以上になるため、下ＭＯＳ  ＶDS検出部１３０の出力信号がハイレベルからローレベルに変化する。
【００３４】
上述したグランド電圧ＶGND よりも０．３Ｖ低い値Ｖ１１（図８）が、第１のしきい値に対応している。この第１のしきい値は、ダイオード通電期間の開始時点を確実に検出するためのものであり、グランド電圧ＶGND からオン時のＭＯＳトランジスタ５１のドレイン・ソース間電圧ＶDSを減算した値よりも低く、グランド電圧ＶGND からＭＯＳトランジスタ５１と並列接続されたダイオードの順方向電圧ＶＦを減算した値よりも高い値に設定されている。また、上述した出力電圧ＶB よりも１．０Ｖ高い値Ｖ２１（図８）が第２のしきい値に対応している。この第２のしきい値は、ダイオード通電期間の終了時点を確実に検出するためのものであり、グランド電圧ＶGND よりも高い値に設定されている。相電圧ＶP が第１のしきい値に達した後に第２のしきい値に達するまでを下アームの「オン期間」としている。このオン期間が特許請求の範囲における「通電期間」に対応する。なお、このオン期間は、ＭＯＳトランジスタ５１がオフ状態のときに実際にダイオードに通電される「ダイオード通電期間」とは開始時点と終了時点がずれているが、本実施形態の同期整流はこのオン期間に基づいて行われる。
【００３５】
温度検出部１５０は、例えばＭＯＳトランジスタ５０、５１の近傍に配置されたダイオードの順方向電圧に基づいてＭＯＳトランジスタ５０、５１の温度を検出し、温度が高いときにハイレベル、低いときにローレベルの信号を出力する。この温度検出部１５０は、制御部１００に含ませるようにしてもよい。
【００３６】
図６は、温度検出部１５０による温度検出結果の具体例を示す図である。図６において、横軸は温度（°Ｃ）を示している。また、縦軸は温度検出部１５０から出力される信号の電圧レベルを示している。図６に示すように、温度が上昇していって２００°Ｃ以上になると、温度検出部１５０の出力信号がローレベル（０Ｖ）からハイレベル（５Ｖ）に変化する。その後、温度が低下していって１７０°Ｃよりも低くなると、温度検出部１５０の出力信号がハイレベルからローレベルに変化する。
【００３７】
制御部１００は、同期整流動作を開始および終了するタイミングの判定、同期整流を実施するためのＭＯＳトランジスタ５０、５１のオン／オフタイミングの設定、このオン／オフタイミングの設定に対応したドライバ１７０、１７２の駆動、ロードダンプ保護動作移行タイミングの判定および保護動作の実施などを行う。
【００３８】
図７は、制御部１００の詳細構成を示す図である。図７に示すように、制御部１００は、回転数演算部１０１、同期制御開始判定部１０２、上ＭＯＳオンタイミング判定部１０３、下ＭＯＳオンタイミング判定部１０４、目標電気角設定部１０５、上ＭＯＳ・ＴFB時間演算部１０６、上ＭＯＳオフタイミング演算部１０７、下ＭＯＳ・ＴFB時間演算部１０８、下ＭＯＳオフタイミング演算部１０９、ロードダンプ判定部１１１、電源起動・停止判定部１１２、オフタイミング異常判定部１２１、同期制御停止判定部１２２を備えている。これらの各構成は、例えばメモリ等に記憶された所定の動作プログラムをＣＰＵで実行することにより実現されるが、各構成をハードウエアを用いて実現するようにしてもよい。また、各構成の具体的な動作内容については後述する。
【００３９】
上述した上ＭＯＳオンタイミング判定部１０３、下ＭＯＳオンタイミング判定部１０４がオンタイミング設定部に、目標電気角設定部１０５、上ＭＯＳ・ＴFB時間演算部１０６、上ＭＯＳオフタイミング演算部１０７、下ＭＯＳ・ＴFB時間演算部１０８、下ＭＯＳオフタイミング演算部１０９がオフタイミング設定部に、ドライバ１７０、１７２がスイッチング素子駆動部に、ロードダンプ判定部１１１がロードダンプ保護部に、温度検出部１５０が過熱異常検出部にそれぞれ対応する。
【００４０】
本実施形態の整流器モジュール５Ｘ等はこのような構成を有しており、次にその動作を説明する。
【００４１】
（１）電源起動・停止判定
電源起動・停止判定部１１２は、発電制御装置７のＦ端子から界磁巻線４に供給されるＰＷＭ信号（励磁電流）の有無を監視し、ＰＷＭ信号の出力が３０μ秒継続したときに電源１６０に起動を指示する。また、電源起動・停止判定部１１２は、ＰＷＭ信号の出力が１秒中断したときに電源１６０に停止を指示する。あるいは、電源起動・停止判定部１１２は、出力電圧ＶB が低電圧異常を示す基準電圧（例えば５Ｖ）よりも低くなったときに電源１６０に停止を指示する。このようにして、界磁巻線４に励磁電流の供給が開始されたときに整流器モジュール５Ｘ等が動作を開始し、励磁電流の供給が停止したときに動作を停止するため、車両用発電機１の発電時のみ整流器モジュール５Ｘ等を動作させることで無駄な電力消費を抑えることができる。
【００４２】
（２）同期制御動作
図８は、制御部１００によって行う同期整流制御（同期制御）の動作タイミング図である。図８において、「上アーム・オン期間」は上ＭＯＳ  ＶDS検出部１２０の出力信号を、「上ＭＯＳオン期間」はハイサイド側のＭＯＳトランジスタ５０のオン／オフタイミングを、「下アーム・オン期間」は下ＭＯＳ  ＶDS検出部１３０の出力信号を、「下ＭＯＳオン期間」はローサイド側のＭＯＳトランジスタ５１のオン／オフタイミングをそれぞれ示している。また、ＴFB1 、ＴFB2 、目標電気角、ΔＴについては後述する。
【００４３】
上ＭＯＳオンタイミング判定部１０３は、上ＭＯＳ  ＶDS検出部１２０の出力信号（上アーム・オン期間）を監視しており、この出力信号のローレベルからハイレベルへの立ち上がりをハイサイド側のＭＯＳトランジスタ５０のオンタイミングとして判定し、ドライバ１７０に指示を送る。ドライバ１７０は、この指示に応じてＭＯＳトランジスタ５０をオンする。
【００４４】
上ＭＯＳオフタイミング演算部１０７は、ＭＯＳトランジスタ５０がオンされてから所定時間経過後をＭＯＳトランジスタ５０のオフタイミングとして判定し、ドライバ１７０に指示を送る。ドライバ１７０は、この指示に応じてＭＯＳトランジスタ５０をオフする。
【００４５】
このオフタイミングを決定する所定時間は、上アーム・オン期間の終了時点（上ＭＯＳ  ＶDS検出部１２０の出力信号がハイレベルからローレベルに立ち下がる時点）よりも「目標電気角」だけ早くなるように、その都度可変設定される。
【００４６】
この目標電気角は、ＭＯＳトランジスタ５０を常時オフしてダイオードを通して整流を行う場合を考えたときに、このダイオード整流における通電期間の終了時点よりもＭＯＳトランジスタ５０のオフタイミングが遅くならないようにするためのマージンであり、目標電気角設定部１０５によって設定される。目標電気角設定部１０５は、回転数演算部１０１によって演算された回転数に基づいて目標電気角を設定する。この目標電気角は、回転数に関係なく一定でもよいが、より望ましくは、低回転領域および高回転領域において目標電気角を大きく、その中間領域において目標電気角を小さく設定するようにしてもよい。
【００４７】
なお、回転数演算部１０１は、下ＭＯＳ  ＶDS検出部１３０の出力信号の立ち上がり周期あるいは立ち下がり周期に基づいて回転数を演算している。下ＭＯＳ  ＶDS検出部１３０の出力信号を用いることにより、車両用発電機１の出力電圧ＶB の変動に関係なく、安定した回転数検出が可能になる。
【００４８】
同様に、下ＭＯＳオンタイミング判定部１０４は、下ＭＯＳ  ＶDS検出部１３０の出力信号（下アーム・オン期間）を監視しており、この出力信号のローレベルからハイレベルへの立ち上がりをローサイド側のＭＯＳトランジスタ５１のオンタイミングとして判定し、ドライバ１７２に指示を送る。ドライバ１７２は、この指示に応じてＭＯＳトランジスタ５１をオンする。
【００４９】
下ＭＯＳオフタイミング演算部１０９は、ＭＯＳトランジスタ５１がオンされてから所定時間経過後をＭＯＳトランジスタ５１のオフタイミングとして判定し、ドライバ１７２に指示を送る。ドライバ１７２は、この指示に応じてＭＯＳトランジスタ５１をオフする。
【００５０】
このオフタイミングを決定する所定時間は、下アーム・オン期間の終了時点（下ＭＯＳ  ＶDS検出部１３０の出力信号がハイレベルからローレベルに立ち下がる時点）よりも「目標電気角」だけ早くなるように、その都度可変設定される。
【００５１】
この目標電気角は、ＭＯＳトランジスタ５１を常時オフしてダイオードを通して整流を行う場合を考えたときに、このダイオード整流における通電期間の終了時点よりもＭＯＳトランジスタ５１のオフタイミングが遅くならないようにするためのマージンであり、目標電気角設定部１０５によって設定される。
【００５２】
ところで、実際には、上アーム・オン期間や下アーム・オン期間の終了時点は、ＭＯＳトランジスタ５０、５１をオフする時点ではわかっていないため、上ＭＯＳオフタイミング演算部１０７や下ＭＯＳオフタイミング演算部１０９は、半周期前の情報をフィードバックすることにより、ＭＯＳトランジスタ５０やＭＯＳトランジスタ５１のオフタイミングの設定精度を上げている。
【００５３】
例えば、ハイサイド側のＭＯＳトランジスタ５０のオフタイミングは以下のようにして設定される。下ＭＯＳ・ＴFB時間演算部１０８は、半周期前のローサイド側のＭＯＳトランジスタ５１をオフしてから下アーム・オン期間の終了時点までの時間ＴFB2 （図８）を演算し、上ＭＯＳオフタイミング演算部１０７は、このＴFB2 から目標電気角を差し引いたΔＴを求める。回転等が安定していればＴFB2 と目標電気角とが等しくなってΔＴ＝０となるはずであるが、（１）車両の加減速に伴う回転変動、（２）エンジン回転の脈動、（３）電気負荷の変動、（４）所定のプログラムを実行して制御部１００を実現する場合の動作クロック周期の変動、（５）ドライバ１７０、１７２にＭＯＳトランジスタ５０、５１をオフする指示を出してから実際にオフされるまでのターンオフ遅れ、などに伴ってΔＴが０にならないことが多い。
【００５４】
そこで、上ＭＯＳオフタイミング演算部１０７は、半周期前に下ＭＯＳオフタイミング演算部１０９で用いられた下ＭＯＳオン期間をΔＴに基づいて補正して上ＭＯＳオン期間を設定し、ＭＯＳトランジスタ５０のオフタイミングを決定している。具体的には、補正係数をαとしたときに、上ＭＯＳオン期間は、以下の式で設定される。
【００５５】
（上ＭＯＳオン期間）＝（半周期前の下ＭＯＳオン期間）＋ΔＴ×α
同様に、ローサイド側のＭＯＳトランジスタ５１のオフタイミングは以下のようにして設定される。上ＭＯＳ・ＴFB時間演算部１０６は、半周期前のハイサイド側のＭＯＳトランジスタ５１をオフしてから上アーム・オン期間の終了時点までの時間ＴFB1 （図８）を演算し、下ＭＯＳオフタイミング演算部１０９は、このＴFB1 から目標電気角を差し引いたΔＴを求める。下ＭＯＳオフタイミング演算部１０９は、半周期前に上ＭＯＳオフタイミング演算部１０７で用いられた上ＭＯＳオン期間をΔＴに基づいて補正して下ＭＯＳオン期間を設定し、ＭＯＳトランジスタ５１のオフタイミングを決定している。具体的には、補正係数をαとしたときに、下ＭＯＳオン期間は、以下の式で設定される。
【００５６】
（下ＭＯＳオン期間）＝（半周期前の上ＭＯＳオン期間）＋ΔＴ×α
このようにして、ダイオード整流を行う場合と同じ周期で、ハイサイド側のＭＯＳトランジスタ５０とローサイド側のＭＯＳトランジスタ５１が交互にオンされ、ＭＯＳトランジスタ５０、５１を用いた低損失の同期整流動作が行われる。
【００５７】
（３）同期制御の開始判定
次に、上述した同期制御に移行するか否かの判定動作について説明する。整流器モジュール５Ｘ等が起動された直後や、何らかの異常が発生して同期制御を一旦停止した後は、所定の同期制御開始条件を満たす場合に同期制御に移行する。同期制御開始判定部１０２は、同期制御開始条件を満たすか否かの判定を行い、満たすと判断した場合にその旨の通知が上ＭＯＳオンタイミング判定部１０３と下ＭＯＳオンタイミング判定部１０４に送られる。以後、上述した同期制御が実施されて、ＭＯＳトランジスタ５０、５１が交互にオンされる。
【００５８】
同期制御開始条件としては、以下の（１）〜（６）が用いられる。
（１）上アーム・オン期間と下アーム・オン期間（図８）が上下連続して３２回発生する。なお、３２回は、８極の回転子を想定し、機械角２回転分に相当する値である。この値は、１回転に相当する値である１６や、３回転以上に相当する値、あるいは機械角１回転の整数倍に相当する値以外に変更してもよい。
（２）出力電圧ＶB が正常範囲である７Ｖより高く１８Ｖよりも低い範囲に含まれる。なお、１２Ｖ系の車両システムを想定して正常範囲の下限値を７Ｖ、上限値を１８Ｖとしたが、これらの下限値および上限値は適宜変更するようにしてもよい。また、２４Ｖ系等の車両システムでは、発電電圧に合わせて下限値および上限値を変更する必要がある。
（３）ＭＯＳトランジスタ５０、５１が過熱状態でない。
（４）ロードダンプ保護動作中でない。
（５）出力電圧ＶB の変動が０．５Ｖ／２００μ秒よりも小さい。なお、同期制御を開始したときにこの変動がどの程度許容されるかは、使用する素子やプログラムによって変化するため、この変動の許容値は、使用する素子等に応じて適宜変更するようにしてもよい。
（６）ＴFB1、ＴFB2がともに１５μ秒より長い。なお、これらの期間がどの程度以下になると異常といえるかは、異常の発生原因等によって変化するため、この許容値（１５μ秒）は、異常発生原因等に応じて適宜変更するようにしてもよい。また、ＴFB1、ＴFB2は、上ＭＯＳ・ＴFB時間演算部１０６、下ＭＯＳ・ＴFB時間演算部１０８によって同期制御動作中に演算されるものとして説明したが、同期制御開始前であってもこれらの演算は行われており、同期制御の開始判定に用いられる。
【００５９】
図９は、上記の同期制御開始判定を行うために必要な構成を示す図である。ロードダンプ判定部１１１は、出力電圧ＶB が２０Ｖを超えたときに、車両用発電機１の出力端子やバッテリ端子が外れてサージ電圧が発生するロードダンプを検出し、ドライバ１７０、１７２に指示を送ってハイサイド側のＭＯＳトランジスタ５０をオフするとともに、ローサイド側のＭＯＳトランジスタ５１をオンするロードダンプ保護動作を開始する。また、ロードダンプ判定部１１１は、一旦２０Ｖよりも高くなった出力電圧ＶB が低下して１７Ｖより低くなったときに、ロードダンプ保護動作を終了する。なお、ロードダンプ保護動作の開始あるいは終了時にＭＯＳトランジスタ５０、５１のオン／オフによって新たなサージ電圧が発生することを避けるため、ロードダンプ保護判定部１１１は、図８に示す下アーム・オン期間の間にロードダンプ保護動作の開始あるいは終了を行うようにしている。ロードダンプ判定部１１１は、ロードダンプ保護動作中はハイレベル、それ以外のときにローレベルとなる信号を同期制御開始判定部１０２に向けて出力する。
【００６０】
ＶB 範囲判定部１１３は、出力電圧検出部１１０によって検出された出力電圧ＶB が７〜１８Ｖの範囲に含まれているか否かを判定し、含まれている場合にはローレベル、含まれていない場合（７Ｖ以下か１８Ｖ以上の場合）にはハイレベルの信号を出力する。ＶB 変動判定部１１４は、出力電圧検出部１１０によって検出された出力電圧ＶB の変動が０．５Ｖ／２００μ秒よりも小さいか否かを判定し、小さい場合にはローレベル、大きい場合にはハイレベルの信号を出力する。ＴFB時間判定部１１５は、上ＭＯＳ・ＴFB時間演算部１０６によって検出されたＴFB1 と、下ＭＯＳ・ＴFB時間演算部１０８によって検出されたＴFB2 のそれぞれが１５μ秒よりも長いか否かを判定し、長い場合にはローレベル、以下の場合にハイレベルの信号を出力する。なお、図９では、ＶB 範囲判定部１１３、ＶB 変動判定部１１４、ＴFB時間判定部１１５を同期制御開始判定部１０２の外部に設けたが、同期制御開始判定部１０２に内蔵するようにしてもよい。また、上述した例では、（１）〜（６）の全ての条件を満たす場合に同期制御を開始する場合を想定したが、（２）〜（６）の少なくとも一つと（１）とを組み合わせて同期制御開始条件としてもよい。
【００６１】
図１０は、同期制御開始判定の動作タイミングを示す図である。図１０において、「カウント値」は上アーム・オン期間と下アーム・オン期間のそれぞれの立ち上がり（開始タイミング）に同期したカウント値を、「ＴFB時間フラグ」はＴFB時間判定部１１５の出力を、「電圧範囲フラグ」はＶB 範囲判定部１１３の出力を、「ＬＤフラグ」はロードダンプ判定部１１１の出力を、「過熱フラグ」は温度検出部１５０の出力を、「電圧変動フラグ」はＶB 変動判定部１１４の出力をそれぞれ示している。
【００６２】
同期制御開始判定部１０２は、上アーム・オン期間と下アーム・オン期間のそれぞれの立ち上がりに同期したカウント動作を行い、このカウント動作のカウント値が「３２」に達したときに同期制御開始を示す信号（ローレベルが同期制御開始を示し、ハイレベルが同期制御停止を示している）を上ＭＯＳオンタイミング判定部１０３および下ＭＯＳオンタイミング判定部１０４に入力する。上ＭＯＳオンタイミング判定部１０３および下ＭＯＳオンタイミング判定部１０４では、同期制御開始を示す信号が入力されると、ＭＯＳトランジスタ５０、５１を交互にオンする同期制御を開始する。
【００６３】
ところで、同期制御開始判定部１０２は、上アーム・オン期間と下アーム・オン期間の立ち上がりの間隔が電気角で１周期以下であること、ＴFB時間判定部１１５、ＶB 範囲判定部１１３、ロードダンプ判定部１１１、温度検出部１５０、ＶB 変動判定部１１４の各出力（ＴFB時間フラグ、電圧範囲フラグ、ＬＤフラグ、過熱フラグ、電圧変動フラグ）が全てローレベルであること、を条件に上述したカウント動作を継続する。反対に、同期制御開始判定部１０２は、カウント値が３２に達するまでに、上アーム・オン期間と下アーム・オン期間の立ち上がりの間隔が電気角で１周期を超えたり、ＴFB時間判定部１１５、ＶB 範囲判定部１１３、ロードダンプ判定部１１１、温度検出部１５０、ＶB 変動判定部１１４のいずれかの出力がハイレベルになった場合には、カウント値を０にリセットし、カウント動作継続の条件を満たすようになってからカウント動作を再開する。
【００６４】
（４）同期制御の停止判定
次に、上述した同期制御中に同期制御を停止するか否かの判定動作について説明する。同期制御停止判定部１２２は、同期制御中に所定の同期制御停止条件を満たすか否かの判定を行い、満たすと判断した場合にその旨の通知が同期制御開始判定部１０２、上ＭＯＳオンタイミング判定部１０３、下ＭＯＳオンタイミング判定部１０４、上ＭＯＳオフタイミング演算部１０７、下ＭＯＳオフタイミング演算部１０９に送られる。以後、同期制御開始判定部１０２によって同期制御が開始されるまで同期制御が停止される。
【００６５】
同期制御停止条件としては、以下の（１）〜（４）が用いられる。
（１）下ＭＯＳオフタイミング演算部１０９によって設定されたＭＯＳトランジスタ５１のオフタイミングから、相電圧ＶP が上昇していって次にＭＯＳトランジスタ５０のオンタイミングを判定するために用いられた第１のしきい値に達するまでの時間が所定時間よりも短い。
【００６６】
この所定時間は、下ＭＯＳオフタイミング演算部１０９によってオフタイミングを指示してから実際にドライバ１７２によってＭＯＳトランジスタ５１がオフされるまでの時間、具体的には、ドライバ１７２によってＭＯＳトランジスタ５１をオフする際のＭＯＳトランジスタ５１の駆動能力に応じて設定される。オフタイミング異常判定部１２１は、この条件を満たす場合（所定時間よりも短い場合）にハイレベル、それ以外のときにローレベルとなる信号を出力する。
【００６７】
図１１は、下ＭＯＳオフタイミング演算部１０９によって設定されたオフタイミングが遅れた場合の相電圧波形の具体例を示す図である。ＭＯＳトランジスタ５１をオフするタイミングが下アーム・オン期間の終了タイミングよりも遅くなると、その時点でＭＯＳトランジスタ５１を通して流れていた電流を遮断することになるため、サージ電圧が発生する。図１１では、サージ電圧がＳで示されている。このサージ電圧は、ＭＯＳトランジスタ５１をオフした直後に発生するものである。実際に下ＭＯＳオフタイミング演算部１０９によってオフタイミングが指示されてから実際にＭＯＳトランジスタ５１がオフされるまでに要する時間をｔ０（図１１）とすると、オフタイミング遅れに伴うサージ電圧の発生を検出するためには、上述した所定時間は、下ＭＯＳオフタイミング演算部１０９によってオフタイミングを指示してから時間ｔ０よりもβだけ長く設定されている。このβは、時間ｔ０経過後に発生するサージ電圧が含まれる値であって、正常に同期制御を行っているとき（オフタイミング異常が発生していないとき）に、相電圧ＶP が上昇していって第１のしきい値に達するまでの時間よりも短い必要がある。
（２）上ＭＯＳオフタイミング演算部１０７によって設定されたＭＯＳトランジスタ５０のオフタイミングから、相電圧ＶP が低下していって次にＭＯＳトランジスタ５１のオンタイミングを判定するために用いられた第２のしきい値に達するまでの時間が所定時間よりも短い。
【００６８】
この所定時間は、上ＭＯＳオフタイミング演算部１０７によってオフタイミングを指示してから実際にドライバ１７０によってＭＯＳトランジスタ５０がオフされるまでの時間、具体的には、ドライバ１７０によってＭＯＳトランジスタ５０をオフする際のＭＯＳトランジスタ５０の駆動能力に応じて設定される。オフタイミング異常判定部１２１は、この条件を満たす場合（所定時間よりも短い場合）にハイレベル、それ以外のときにローレベルとなる信号を出力する。
【００６９】
なお、上述した（１）、（２）で示された所定時間は、同じ値であってもよいが、異なる値を用いるようにしてもよい。また、これらの所定時間は、主にドライバ１７０、１７２の駆動能力に応じて設定するものであるため、回転数に関係なく一定値を用いることが望ましい。
（３）出力電圧ＶB の変動が０．５Ｖ／２００μ秒よりも大きくなった。
【００７０】
なお、同期制御を継続する場合にこの変動がどの程度許容されるかは、使用する素子やプログラムによって変化するため、この同期制御の停止判定に用いられる許容値は、使用する素子等に応じて適宜変更するようにしてもよい。
【００７１】
図１２は、出力電圧変動と上アーム・オン期間および下アーム・オン期間の関係を示す図である。例えば、出力電流が１５０Ａから１５Ａに急に減少すると、図１２に示すように、出力電圧ＶB が上昇する。この出力電圧の上昇に伴って、上アーム・オン期間は、出力変動がない場合の値Ｔ１０からＴ１１、Ｔ１２（＜Ｔ１０）に変化する。下アーム・オン期間いついても同様である。このように、上アーム・オン期間あるいは下アーム・オン期間自体が短くなると、それまでと同じ手順でオフタイミングを設定しても、ＭＯＳトランジスタ５０、５１のオフタイミングが上アーム・オン期間あるいは下アーム・オン期間よりも遅くなる事態が生じるため、これを回避するために上述した許容値が用いられる。同期制御開始判定でも、同様の趣旨により同じ許容値が用いられているが、この許容値は、同期制御開始判定と同期制御停止判定で異なる値を用いるようにしてもよい。
（４）ロードダンプ保護動作に移行した。
（５）ＭＯＳトランジスタ５０、５１が過熱状態に移行した。
【００７２】
図１３は、上記の同期制御停止判定を行うために必要な構成を示す図である。図１３に示す構成は、図７に示した構成の中から同期制御停止判定に必要な構成を抜き出したものである。また、ＶB 変動判定部１１４については、図９に示された同期制御開始判定用のＶB 変動判定部１１４がそのまま同期制御停止判定においても用いられている。
【００７３】
図１３に示すように、同期制御停止判定部１２２には、オフタイミング異常判定部１２１、ＶB 変動判定部１１４、ロードダンプ判定部１１１、温度検出部１５０の各出力が入力されている。
【００７４】
オフタイミング異常判定部１２１からは、上述した同期制御停止条件（１）あるいは（２）を満たしているときにハイレベルの信号が出力される。また、ＶB 変動判定部１１４からは、出力電圧検出部１１０によって検出された出力電圧ＶB の変動が０．５Ｖ／２００μ秒よりも大きく、上述した同期制御停止条件（３）を満たしているときにハイレベルの信号が出力される。また、ロードダンプ判定部１１１からは、ロードダンプ動作中であって、上述した同期制御停止条件（４）を満たしているときにハイレベルの信号が出力される。また、温度検出部１５０からは、温度が高くなって、上述した同期制御停止条件（５）を満たしているときにハイレベルの信号が出力される。
【００７５】
同期制御停止判定部１２２は、オフタイミング異常判定部１２１、ＶB 変動判定部１１４、ロードダンプ判定部１１１、温度検出部１５０の各出力信号の中で一つでもハイレベルのものが含まれている場合には、同期制御停止条件を満たしていると判断し、同期制御を停止する旨の指示が同期制御開始判定部１０２、上ＭＯＳオンタイミング判定部１０３、下ＭＯＳオンタイミング判定部１０４、上ＭＯＳオフタイミング演算部１０７、下ＭＯＳオフタイミング演算部１０９に送られる。
【００７６】
このように、本実施形態の車両用発電機１では、ＭＯＳトランジスタ５０、５１をオフするタイミングの直後（所定時間未満）に相電圧がしきい値に達することを検出することで、ＭＯＳトランジスタ５０、５１をオフするタイミングが遅くなってダイオードを通した通電期間を超えてしまうことを確認することができ、これにより、ＭＯＳトランジスタ５０、５１のオフタイミングの異常を確実に検出することが可能となる。また、オフタイミング異常を検出したときに同期整流動作を停止することにより、オフタイミング異常に伴うサージ電圧の発生を防止することができる。また、一旦同期整流動作を停止することで、再度正常なタイミングで同期整流動作を開始することができる。
【００７７】
また、ＭＯＳトランジスタ５０、５１のオンタイミングを設定するために用いられる第１のしきい値をオフタイミングの異常判定でも用いることにより、相電圧と第１のしきい値との比較動作を共通化することができ、処理および構成の簡略化が可能となる。
【００７８】
また、オフタイミングの異常を判定する所定時間を、オフタイミングを指示してから実際にＭＯＳトランジスタ５０、５１がオフされるまでの時間や、ドライバ１７０、１７２の駆動能力に応じて設定することにより、これらの駆動能力にに応じた適切な時間でオフタイミング異常を検出することが可能となる。また、ＭＯＳトランジスタ５０、５１をオフする指示を行った後にサージ電圧が発生するまでの時間は、主にドライバ１７０、１７２の駆動能力に応じて決まるものであるため、判定を行うための所定時間を回転数に関係なく設定することにより、回転数によらず適切なオフタイミング異常判定を行うことが可能となる。また、所定時間として一定値を用いることにより、オフタイミングの異常判定を行う回路構成を簡略化することができる。
【００７９】
また、出力電圧ＶP の変動が大きくダイオードを通して電流が流れる期間が大きく変化する場合には、ＭＯＳトランジスタ５０、５１のオンオフタイミング（特にオフタイミング）の正確な設定が難しいため、このような場合に同期整流動作を停止することで、ＭＯＳトランジスタ５０、５１のオフタイミングの誤設定を回避することができる。
【００８０】
なお、本発明は上記実施形態に限定されるものではなく、本発明の要旨の範囲内において種々の変形実施が可能である。例えば、上述した実施形態では、ＭＯＳトランジスタ５０、５１のオンタイミングを設定するために用いられる第１のしきい値をオフタイミングの異常判定でも用いるようにしたが、上アームおよび下アームのオン期間の終了タイミングを検出するために用いる第２のしきい値（図８に示すＶ２０、Ｖ２１）をオフタイミングの異常判定で用いるようにしてもよい。この場合には、例えば上アームのＭＯＳトランジスタ５０のオフタイミングから同じ上アームのオン期間の終了タイミング（上ＭＯＳ ＶDS検出部１２０の出力がハイレベルからローレベルに変化する時点）までの時間が所定時間より短いときに、オフタイミング異常判定部１２１は、オフタイミングの異常を判定する。また、下アームのＭＯＳトランジスタ５１のオフタイミングから同じ下アームのオン期間の終了タイミング（下ＭＯＳ ＶDS検出部１３０の出力がハイレベルからローレベルに変化する時点）までの時間が所定時間より短いときに、オフタイミング異常判定部１２１は、オフタイミングの異常を判定する。このように第２のしきい値を用いることにより、オフタイミング異常に伴ってサージ電圧が発生する前、あるいは、発生するサージ電圧が小さい場合であっても、確実にオフタイミング異常を検出することが可能となる。
【００８１】
また、上述した実施形態では、２つの固定子巻線２、３と２つの整流器モジュール群５、６を備えるようにしたが、一方の固定子巻線２と一方の整流器モジュール群５を備える車両用発電機についても本発明を適用することができる。
【００８２】
また、上述した実施形態では、各整流器モジュール５Ｘ等を用いて整流動作（発電動作）を行う場合について説明したが、ＭＯＳトランジスタ５０、５１のオン／オフタイミングを変更することにより、バッテリ９から印加される直流電流を交流電流に変換して固定子巻線２、３に供給して電動動作を行わせる車両用回転電機に本発明を適用することができる。
【００８３】
また、上述した実施形態では、２つの整流器モジュール群５、６のそれぞれに３つの整流器モジュールを含ませるようにしたが、整流器モジュールの数は３以外であってもよい。
【産業上の利用可能性】
【００８４】
上述したように、本発明によれば、ＭＯＳトランジスタ５０、５１をオフするタイミングの直後（所定時間未満）に相電圧がしきい値に達することを検出することで、ＭＯＳトランジスタ５０、５１をオフするタイミングが遅くなってダイオードを通した通電期間を超えてしまうことを確認することができ、これにより、ＭＯＳトランジスタ５０、５１のオフタイミングの異常を確実に検出することが可能となる。
【符号の説明】
【００８５】
１  車両用発電機
２、３  固定子巻線
４  界磁巻線
５、６  整流器モジュール群
５Ｘ、５Ｙ、５Ｚ、６Ｕ、６Ｖ、６Ｗ  整流器モジュール
７  発電制御装置
８  ＥＣＵ
９  バッテリ
１０  電気負荷
１２  充電線
５０、５１  ＭＯＳトランジスタ
５４  制御回路
１００  制御部
１０１  回転数演算部
１０２  同期制御開始判定部
１０３  上ＭＯＳオンタイミング判定部
１０４  下ＭＯＳオンタイミング判定部
１０５  目標電気角設定部
１０６  上ＭＯＳ・ＴFB時間演算部
１０７  上ＭＯＳオフタイミング演算部
１０８  下ＭＯＳ・ＴFB時間演算部
１０９  下ＭＯＳオフタイミング演算部
１１０  出力電圧検出部
１１１  ロードダンプ判定部
１１２  電源起動・停止判定部
１１３  ＶB 範囲判定部
１１４  ＶB 変動判定部
１１５  ＴFB時間判定部
１２０  上ＭＯＳ  ＶDS検出部
１２１  オフタイミング異常判定部
１２２  同期制御停止判定部
１３０  下ＭＯＳ  ＶDS検出部
１５０  温度検出部
１６０  電源
【図１】
0005434873.tif 000002
【図２】
0005434873.tif 000003
【図３】
0005434873.tif 000004
【図４】
0005434873.tif 000005
【図５】
0005434873.tif 000006
【図６】
0005434873.tif 000007
【図７】
0005434873.tif 000008
【図８】
0005434873.tif 000009
【図９】
0005434873.tif 000010
【図１０】
0005434873.tif 000011
【図１１】
0005434873.tif 000012
【図１２】
0005434873.tif 000013
【図１３】
0005434873.tif 000014